(57)【要約】【課題】  歪み誘発磁気としての地磁気に起因する可視光像の歪みを十分に抑制する。【解決手段】  この発明のイメージインテンシファイア装置は、メイン磁気シールド体６による磁気遮蔽壁の他に、歪み補正コイル８と入力面基板１の裏面側周縁近傍ＰＡとの間にまで広げるサブ磁気シールド体１４を備えている。歪み補正コイル８で発生する歪み補正磁気が入力面基板１の裏面側周縁近傍ＰＡにかかるのをサブ磁気シールド体１４により増設された磁気遮蔽壁が局部的に抑える。そして、入射Ｘ線像に応じた光電子像を出力する入力面基板１の裏面側周縁近傍ＰＡにおいて局所的に歪み補正コイル８の過剰補正状態を緩和させるので、イメージ管４の出力蛍光面３に出力される可視光像の歪みをより自然に補正することができる。その結果、歪み誘発磁気としての地磁気による可視光像の歪みを十分に抑えることができる。【選択図】        図１
2005216669.tif 000002
【特許請求の範囲】
【請求項１】
入射Ｘ線像に応じた光電子像を出力する入力面基板，光電子像を縮小結像させる電子レンズ系，電子レンズ系で縮小結像された光電子像を可視光像に変換出力する出力蛍光面を収納したイメージ管と、イメージ管の中の電子レンズ系をイメージ管の外側で囲んで配設した筒状のメイン磁気シールド体と、イメージ管のＸ線入力面の外周縁に沿って入力面基板の外周空間を囲んで巻回されて、光電子像を歪ませて可視光像の歪みを引き起こす歪み誘発磁気を打ち消すために歪み補正磁気を発生させる歪み補正コイルとを備えたイメージインテンシファイアであって、歪み補正コイルの内側面を１周するリング状のサブ磁気シールド体を備え、このサブ磁気シールド体が、全周にわたってＸ線入力側とは反対側でメイン磁気シールド体に接続されて構成されており、メイン・サブの両磁気シールド体で磁気遮蔽壁が構成されていることを特徴とするイメージインテンシファイア装置。
【請求項２】
請求項１に記載のイメージインテンシファイアにおいて、イメージ管が納められている外容器の内側に歪み補正コイルおよびメイン磁気シールド体を配設するとともに、サブ磁気シールド体をメイン磁気シールド体の内側に配設し、サブ磁気シールド体におけるＸ線入力側とは反対側の周縁がメイン磁気シールド体の内周面に接続されていることを特徴とするイメージインテンシファイア装置。
【発明の詳細な説明】
【技術分野】
【０００１】
この発明は、光電子像を経て入射Ｘ線像を可視光像に変換して出力蛍光面に出力し、光電子像を歪ませて可視光像の歪みを引き起こす歪み誘発磁気を歪み補正コイルにより発生させる歪み補正磁気で打ち消すイメージインテンシファイア装置に係り、特に歪み誘発磁気としての地磁気に起因する可視光像の歪みを十分に抑えるための技術に関する。
【背景技術】
【０００２】
この種のイメージインテンシファイア装置（以下、適宜「Ｉ．Ｉ．装置」と略記）は、図８および図９に示すように、入射Ｘ線像に応じた光電子像を出力するためのＣｓＩ等の蛍光面と光電陰極とからなる入力面基板５１と、入力面基板５１の光電陰極から放出される光電子像を縮小結像させるための電子レンズ系５２と、電子レンズ系５２のレンズ作用で縮小結像された光電子像を可視光像に変換出力する出力蛍光面５３とを収納した真空密封式のイメージ管５４を金属製外容器５５内に配設している。
【０００３】
このようなＩ．Ｉ．装置では、地磁気（歪み誘発磁気）がローレンツ力で光電子像を歪ませて可視光像の歪みを引き起こす。地磁気は、例えば、図１０（ａ）に示すように、『＋』の形の入射Ｘ線像ＸＡが、図１０（ｂ）に示すように、正しく『＋』の形の可視光像Ｘａに変換されずに、縦・横がともに『Ｓ』字状にゆがんだ歪みのある可視光像ＸＢに変換されてしまう。そこで、地磁気による可視光像の歪みを回避するために、イメージ管５４の中の電子レンズ系５２をイメージ管５４の外側で囲んで強磁性体製の円筒状の磁気シールド体５６を配設して磁気シールド体５６の磁気遮蔽を行っている。すなわち、磁気シールド体５６が磁気遮蔽壁となってイメージ管５４の周側面から地磁気がかかるのを防ぐ。
【０００４】
ただＸ線の入射面である入力面基板５１の前面には、入射Ｘ線像のＸ線強度低下を阻止するために、磁気遮蔽を施すことは好ましくない。そのためにＸ線の入射面には、アルミニウムやチタン，ガラス等の窓５７を配設している。したがって、イメージ管５４の窓５７からかかる地磁気は磁気シールド体５６では防げず、磁気シールド体５６だけで地磁気による可視光像の歪みを解消することはできない。ちなみに、公知技術として、Ｉ．Ｉ．装置の前面に薄板パーマロイを磁気シールドとして取り付けるのもある。
【０００５】
そこで、図８に示すように、可視光像の歪み誘発磁気を打ち消すために歪み補正磁気を発生させる歪み補正コイル５８とコイル電流を供給する電源５９とを配設している。さらに、入力面基板５１の近傍の地磁気の強さ・向きを検出する磁気センサ６０と磁気センサ６０の出力信号にしたがって電源５９を制御する電源制御部６１とを配設している。磁気センサ６０で検出された地磁気の強さ・向きに対応したコイル電流が歪み補正コイル５８に流れるように電源制御部６１で電源５９をコントロールし、歪み補正コイル５８に歪み誘発磁気の強さに対応したコイル電流を電源５９から供給して歪み誘発磁気を打ち消している。この歪み補正コイル５８による地磁気の打ち消し作用により、イメージ管５４の窓５７からかかる歪み誘発磁気としての地磁気による可視光像の歪みが抑えられる（特許文献１参照）。
【特許文献１】特開平７−６５７５６号公報（第３〜４頁、図１〜図４）
【発明の開示】
【発明が解決しようとする課題】
【０００６】
しかしながら、上記従来のＩ．Ｉ．装置の場合、地磁気に起因する可視光像の歪みを歪み補正コイル５８が十分に抑えることができない。
【０００７】
地磁気による可視光像の歪みの抑えが不十分だと、Ｉ．Ｉ．装置を例えば医用Ｘ線透視撮影装置の透過Ｘ線像検出用に用いた場合、Ｘ線撮影で得られるＸ線画像に可視光像の歪みに応じた画像歪みが生じ、Ｘ線画像が病変部位（患部）を正確に映し出さない等の不具合が生じる。
【０００８】
この発明は、このような事情に鑑みてなされたものであって、歪み誘発磁気としての地磁気に起因する可視光像の歪みを十分に抑えることができるイメージインテンシファイア装置を提供することを目的とする。
【課題を解決するための手段】
【０００９】
発明者は、このような目的を達成するために、可視光像の歪みを十分に抑えられない原因を究明すべく、鋭意検討を行った。そして、可視光像の歪みが十分に抑えられないのは、歪み補正コイルによって歪み誘発磁気としての地磁気が的確に打ち消されないからだと推測した。そして、入射Ｘ線像に応じた光電子像を出力する入力面基板の裏面側周縁近傍では、局所的に歪み補正コイルによる過剰補正状態が生じていて、歪み補正磁気が過剰な分だけ歪み誘発磁気の補正に狂いが生じるので、歪み誘発磁気が的確に打ち消されず、その結果、可視光像の歪みが十分に抑えられないという知見を得た。このような知見に基づくこの発明は、次のような構成をとる。
【００１０】
すなわち、請求項1に記載の発明は、入射Ｘ線像に応じた光電子像を出力する入力面基板，光電子像を縮小結像させる電子レンズ系，電子レンズ系で縮小結像された光電子像を可視光像に変換出力する出力蛍光面を収納したイメージ管と、イメージ管の中の電子レンズ系をイメージ管の外側で囲んで配設した筒状のメイン磁気シールド体と、イメージ管のＸ線入力面の外周縁に沿って入力面基板の外周空間を囲んで巻回されて、光電子像を歪ませて可視光像の歪みを引き起こす歪み誘発磁気を打ち消すために歪み補正磁気を発生させる歪み補正コイルとを備えたイメージインテンシファイアであって、歪み補正コイルの内側面を１周するリング状のサブ磁気シールド体を備え、このサブ磁気シールド体が、全周にわたってＸ線入力側とは反対側でメイン磁気シールド体に接続されて構成されており、メイン・サブの両磁気シールド体で磁気遮蔽壁が構成されていることを特徴とするものである。
【００１１】
［作用・効果］請求項１の発明のイメージインテンシファイア装置（以下、適宜「Ｉ．Ｉ．装置」と略記）において入射Ｘ線像の検出を行う場合、イメージ管ではメイン磁気シールド体による磁気遮蔽によって地磁気の影響を回避しながら、入力面基板への入射Ｘ線像の投影で生じた光電子像を電子レンズ系が出力蛍光面に縮小結像させ、縮小結像した光電子像を可視光像に変換出力する。メイン磁気シールド体が磁気遮蔽壁となってイメージ管の周側面から歪み誘発磁気としての地磁気がかかるのを防ぐ。
【００１２】
さらに、請求項１の発明のＩ．Ｉ．装置ではイメージ管による入射Ｘ線像の検出と並行して、イメージ管のＸ線入力面の外周縁に沿って入力面基板の外周空間を囲んで巻回された歪み補正コイルが歪み補正磁気を発生させる。光電子像を歪ませて可視光像の歪みを引き起こす歪み誘発磁気としてＸ線入力面側からかかる地磁気を歪み補正コイルが防ぐことにより光電子像の歪みを抑える。その結果、出力蛍光面に出力される可視光像の歪みが抑えられる。
【００１３】
一方、請求項１の発明のＩ．Ｉ．装置の場合、歪み補正コイルの内側面を１周するリング状のサブ磁気シールド体が、全周にわたってＸ線入力側とは反対側でメイン磁気シールド体に接続されて構成されており、メイン・サブの両磁気シールド体で磁気遮蔽壁が構成されている。このサブ磁気シールド体による磁気遮蔽壁によって、メイン磁気シールド体による磁気遮蔽壁が歪み補正コイルと入力面基板の裏面側周縁近傍との間にまで広がる。そして、サブ磁気シールド体の配設により歪み補正コイルと入力面基板の裏面側周縁近傍との間へ増設された磁気遮蔽壁は、歪み補正コイルで発生する歪み補正磁気が入力面基板の裏面側周縁近傍にかかるのを局部的に抑える磁気遮蔽機能を発揮する。そして、入射Ｘ線像に応じた光電子像を出力する入力面基板の裏面側周縁近傍において局所的に歪み補正コイルの過剰補正状態を緩和させる。その結果、イメージ管の出力蛍光面に出力される可視光像の歪みを引き起こす歪み補正コイルによる不自然な歪み補正を抑えることが可能となる。
【００１４】
また、請求項２に記載の発明は、請求項１に記載のイメージインテンシファイアにおいて、イメージ管が納められている外容器の内側に歪み補正コイルおよびメイン磁気シールド体を配設するとともに、サブ磁気シールド体をメイン磁気シールド体の内側に配設し、サブ磁気シールド体におけるＸ線入力側とは反対側の周縁がメイン磁気シールド体の内周面に接続されていることを特徴とするものである。
【００１５】
［作用・効果］請求項２の発明のＩ．Ｉ．装置の場合、イメージ管が納められている外容器の内側に歪み補正コイルおよびメイン磁気シールド体を配設するとともに、サブ磁気シールド体も、サブ磁気シールド体におけるＸ線入力側とは反対側の周縁をメイン磁気シールド体の内周面に接続して外容器の内側に配設している。歪み補正コイルおよびメイン・サブの両磁気シールド体がいずれも外容器の内に収納されているので、歪み補正コイルを外容器の外に露出させずにすむ。
【発明の効果】
【００１６】
請求項１の発明のイメージインテンシファイア装置の場合、メイン磁気シールド体によってイメージ管の周側面からかかる歪み誘発磁気としての地磁気を防ぎながらイメージ管による入射Ｘ線像の検出を行って出力蛍光面に可視光像を変換出力する。それに並行して、イメージ管のＸ線入力面の外周縁に沿って入力面基板の外周空間を囲んで巻回された歪み補正コイルが歪み補正磁気を発生させる。光電子像を歪ませて可視光像の歪みを引き起こす歪み誘発磁気としてＸ線入力面側からかかる地磁気を歪み補正コイルが防いで光電子像の歪みを抑えるので、イメージ管の出力蛍光面に出力される可視光像の歪みが抑えられる。さらに、歪み補正コイルの内側面を１周するリング状のサブ磁気シールド体が、全周にわたってＸ線入力側とは反対側でメイン磁気シールド体に接続されて構成されており、メイン・サブの両磁気シールド体で磁気遮蔽壁が構成されている。サブ磁気シールド体により、メイン磁気シールド体による磁気遮蔽壁が歪み補正コイルと入力面基板の裏面側周縁近傍との間にまで広がる。そして、サブ磁気シールド体の配設により歪み補正コイルと入力面基板の裏面側周縁近傍との間へ増設された磁気遮蔽壁が、歪み補正コイルで発生する歪み補正磁気が入力面基板の裏面側周縁近傍にかかるのを局部的に抑える磁気遮蔽機能を発揮する。そして、入射Ｘ線像に応じた光電子像を出力する入力面基板の裏面側周縁近傍において局所的に歪み補正コイルの過剰補正状態を緩和させる。その結果、イメージ管の出力蛍光面に出力される可視光像の歪みを引き起こす歪み補正コイルの過剰補正状態を緩和させることができる。
【００１７】
よって、請求項１の発明のイメージインテンシファイア装置によれば、歪み誘発磁気としての地磁気による可視光像の歪みをより自然に補正することができる。
【実施例１】
【００１８】
以下、この発明の実施例を図面を参照しながら説明する。図１は実施例に係るイメージインテンシファイア装置（Ｉ．Ｉ．装置）の全体構成図、図２は実施例のＩ．Ｉ．装置におけるメイン・サブの両磁気シールド体および歪み補正コイルの配設状況を示す平面図、図３はＸ線透視撮影装置における実施例のＩ．Ｉ．装置の配設状況を示す側面図である。
【００１９】
実施例のＩ．Ｉ．装置は、図１に示すように、入射Ｘ線像に応じた光電子像を出力するためのＣｓＩ等の蛍光面と光電陰極とからなる入力面基板１と、入力面基板１の光電陰極から放出される光電子像を縮小結像させるための電子レンズ系２と、電子レンズ系２のレンズ作用で縮小結像された光電子像を可視光像に変換出力する出力蛍光面３とを収納した真空密封式のイメージ管４を金属製の外容器５内に配設している。なお、図１においては、図を見やすくするためにイメージ管４の内部構成を簡素化して示してある。
【００２０】
実施例のＩ．Ｉ．装置の場合、地磁気（歪み誘発磁気）の影響による光電子像の歪があるので、地磁気による可視光像の歪みを避けるために、イメージ管４の中の電子レンズ系２イメージ管４の外側で囲んで円筒状の強磁性体製メイン磁気シールド体６を配設して磁気遮蔽を行っている。メイン磁気シールド体６が磁気遮蔽壁となってイメージ管４の周側面からかかる歪み誘発磁気としての地磁気を防ぐ。
【００２１】
具体的には、外容器５の内周面とメイン磁気シールド体６の外周面とが当接して外容器５の内側に挿入した状態でメイン磁気シールド体６を配設している。メイン磁気シールド体６に用いられる強磁性体としては、例えばパーマロイが挙げられる。
【００２２】
実施例のＩ．Ｉ．装置のイメージ管４において入射Ｘ線像の検出を行う場合、メイン磁気シールド体６による磁気遮蔽壁で地磁気の影響を回避しながら、入力面基板１への入射Ｘ線像の投影で生じた光電子像を電子レンズ系２が出力蛍光面３に縮小結像させ、縮小結像した光電子像を可視光像に変換して出力する。
【００２３】
ただ、図１に示すように、Ｘ線の入射面である入力面基板１の前面にはメイン磁気シールド体６が施されていない。入力面基板１の前面まで磁気遮蔽すると、メイン磁気シールド体６によるＸ線吸収で入射Ｘ線像のＸ線強度が低下し、検出感度が落ちてしまう。そのため、入力面基板１の前面には強磁性体の金属による磁気シールドを施すことは好ましくなく、Ｘ線の入射面には、アルミニウムやチタン，ガラス等の窓７を配設している。したがって、イメージ管４の窓７からかかる地磁気はメイン磁気シールド体６で完全に防ぐことができず、メイン磁気シールド体６だけでは地磁気による可視光像の歪みを解消できない。
【００２４】
そこで、実施例のＩ．Ｉ．装置では、図２にも示すように、イメージ管４のＸ線入力面である窓７の外周縁に沿って入力面基板１の外周空間を囲んで巻回された歪み補正コイル８を備えている。この歪み補正コイル８は、光電子像を歪ませて可視光像の歪みを引き起こす歪み誘発磁気を打ち消すために歪み補正磁気を発生させる。すなわち、補正コイル８に歪み誘発磁気の強さに対応したコイル電流を流すことによって歪み誘発磁気を打ち消す構成となっている。この歪み補正コイル８の巻き回数（ターン数）は、特定のターン数に限られるものではないが、例えば８００〜１０００ターンが例示される。
【００２５】
すなわち、実施例のＩ．Ｉ．装置の場合、歪み補正コイル８の他に歪み補正コイル８のコイル電流を供給する電源９を配設している。さらに、入力面基板１の近傍の地磁気の強さ・向きを検出する磁気センサ１０と磁気センサ１０の出力信号にしたがって電源９を制御する電源制御部１１とを配設している。磁気センサ１０で検出される地磁気の強さ・向きに対応したコイル電流が歪み補正コイル８に流れるように電源制御部１１で電源９をコントロールし、歪み補正コイル８に歪み誘発磁気の強さに対応したコイル電流を電源９から供給して歪み誘発磁気を打ち消している。したがって、イメージ管４の窓７からかかる歪み誘発磁気としての地磁気は歪み補正コイル８による磁気打ち消し作用により防止される結果、イメージ管４の窓７からかかる地磁気による可視光像の歪みが抑えられる。
【００２６】
なお、図３に示すように、実施例のＩ．Ｉ．装置Ａは、Ｘ線透視撮影装置用の天井走行式Ｃアーム１２の一端側に配設されていて、Ｃアーム１２の他端側に配設されているＸ線管Ｂと対向している。Ｃアーム１２の背面中央に設けられた回転軸１３を回転中心としてＣアーム１２が回転するのに伴って、Ｉ．Ｉ．装置が矢印ＲＡで示す向きに回転する。また、Ｃアーム１２の円弧に沿ってＣアーム１２が所定範囲をスライドするのに伴って、Ｉ．Ｉ．装置Ａが矢印ＲＢで示す向きに移動する。このような回転・移動に伴って、イメージ管４の窓からかかる歪み誘発磁気の有効強度が変動するが、この変動は磁気センサ１０の検出強度に反映される。したがって、電源制御部１１により行われる電源９のコントロールループ（制御ループ）に組み込まれ、Ｉ．Ｉ．装置Ａの移動に伴う歪み誘発磁気の有効強度の変動で歪み補正コイル８の歪み誘発磁気に対する打ち消し機能が乱されることはない。
【００２７】
さらに、実施例のＩ．Ｉ．装置の場合、図１および図２に示すように、歪み補正コイル８の内側面を１周するリング状の強磁性体製のサブ磁気シールド体１４が、全周にわたってＸ線入力側とは反対側でメイン磁気シールド体１４に接続されて構成されており、メイン・サブの両磁気シールド体６，１４で磁気遮蔽壁が構成されている。このサブ磁気シールド体１４によってイメージ管４の入力面基板１の裏面側周縁近傍において局所的に歪み補正コイルの過剰補正状態を緩和させる構成となっているので、以下、この点について説明する。
【００２８】
具体的には、サブ磁気シールド体１４は、図１に示すように横断面形状が『Ｌ』字形であり、全体平面形状が真円形である。非磁性体製の取り付けリング１５を介して両メイン・サブ磁気シールド体６，１４が同軸になるように嵌め込んでおり、サブ磁気シールド体１４を『Ｌ』字の横辺先端でメイン磁気シールド体６の内周面に接続している。図２に示すように、イメージ管４の窓７の前面からみると、メイン磁気シールド体６とサブ磁気シールド体１４との間に歪み補正コイル８が挟まれていて、リング状のサブ磁気シールド体１４が歪み補正コイル８の内側面を１周する状態になっている。なお、サブ磁気シールド体１４の強磁性体としては、メイン磁気シールド体６と同様、例えばパーマロイ等が挙げられる。取り付けリング１５の非磁性体としては、アルミニウム等が挙げられる。
【００２９】
このように、実施例のＩ．Ｉ．装置の場合、歪み補正コイル８の内側面を１周するリング状のサブ磁気シールド体１４が、全周にわたってＸ線入力側とは反対側でメイン磁気シールド体１４に接続されて構成されており、メイン・サブの両磁気シールド体６，１４で磁気遮蔽壁が構成されている。このサブ磁気シールド体１４による磁気遮蔽壁によって、メイン磁気シールド体６による磁気遮蔽壁が歪み補正コイル８と入力面基板１の裏面側周縁近傍ＰＡとの間にまで広がる。
【００３０】
そして、サブ磁気シールド体１４の配設により歪み補正コイル８と入力面基板１の裏面側周縁近傍との間へ増設された磁気遮蔽壁は、歪み補正コイル８で発生する歪み補正磁気が入力面基板１の裏面側周縁近傍ＰＡにかかるのを局部的に抑える磁気遮蔽機能を発揮する。そして、入射Ｘ線像に応じた光電子像を出力する入力面基板１の裏面側周縁近傍ＰＡにおいて局所的に歪み補正コイル８の過剰補正状態を緩和させる。その結果、イメージ管４の出力蛍光面３に出力される可視光像の歪みをより自然に補正することができる。
【００３１】
なお、歪み補正コイル８の過剰補正状態に対するサブ磁気シールド体１４の解消作用を検証するために、電磁気学におけるマクスウエルの方程式を基礎とするシミュレーション手法で以下の条件で求めた。すなわち、メイン磁気シールド体６の他にサブ磁気シールド体１４を備えた実施例のＩ．Ｉ．装置と、サブ磁気シールド体１４を備えずメイン磁気シールド体６のみを備えた他は実施例と同じ構成の比較例のＩ．Ｉ．装置とを比較した。実施例・比較例のそれぞれの入力面基板１の裏面側周縁近傍ＰＡおよび表面側周縁近傍ＰＢにおける歪み補正コイル８による歪み補正磁気の印加状況を、歪み補正コイル８には３６ＡＴのコイル電流を流し、サブ磁気シールド体１４の強磁性体として初期比透磁率４００００のＰＣタイプとするという条件でシミュレーションを行った。
【００３２】
実施例のＩ．Ｉ．装置についてのシミュレーション結果を図４に示し、比較例のＩ．Ｉ．装置についてのシミュレーション結果を図５に示す。図中の『Ｇ』はガウスを示している。
【００３３】
入力面基板１の裏面側周縁近傍ＰＡでは歪み補正コイル８による歪み補正磁気の強度において、図４に示す実施例のＩ．Ｉ．装置の場合の方が図５に示す比較例のＩ．Ｉ．装置の場合よりも下回った。
【００３４】
同様に、入力面基板１の表面側周縁近傍ＰＢでは歪み補正コイル８による歪み補正磁気の強度において、図４に示す実施例のＩ．Ｉ．装置の場合の方が図５に示す比較例のＩ．Ｉ．装置の場合よりも下回った。
【００３５】
すなわちシミュレーション結果では、実施例のＩ．Ｉ．装置の場合、比較例のＩ．Ｉ．装置に比べて、入力面基板１の裏面側周縁近傍ＰＡでは、歪み補正コイル８による歪み補正磁気の強度が大幅に低減されており、サブ磁気シールド体１４が歪み補正コイル８の過剰補正状態を解消するものであることを示している。
【００３６】
このように、実施例のＩ．Ｉ．装置の場合、メイン磁気シールド体６による磁気遮蔽壁を歪み補正コイル８と入力面基板１の裏面側周縁近傍ＰＡとの間にまで広げるサブ磁気シールド体１４を備えることにより、歪み補正コイル８で発生する歪み補正磁気が入力面基板１の裏面側周縁近傍ＰＡにかかるのを局部的に抑える。そして、入射Ｘ線像に応じた光電子像を出力する入力面基板１の裏面側周縁近傍ＰＡにおいて局所的に歪み補正コイル８の過剰補正状態を緩和させる。その結果、イメージ管４の出力蛍光面３に出力される可視光像の歪みをより自然に補正することができる。
【００３７】
なお、実施例のＩ．Ｉ．装置と比較例のＩ．Ｉ．装置を、図３に示すように、それぞれＸ線透視撮影装置に装着してＸ線撮影を行って得たＸ線画像を比較観察したところ、実施例のＩ．Ｉ．装置を用いた場合のＸ線画像の方が、比較例のＩ．Ｉ．装置を用いた場合のＸ線画像より画像歪みが少ないことが確認された。
【００３８】
また、実施例のＩ．Ｉ．装置の場合、イメージ管４が納められている外容器５の内側に歪み補正コイル８およびメイン磁気シールド体６を配設するとともに、、サブ磁気シールド体１４も、サブ磁気シールド体１４におけるＸ線入力側とは反対側の周縁をメイン磁気シールド体６の内周面に接続して外容器５の内側に配設している。歪み補正コイル８および両メイン磁気シールド体６，１４がいずれも外容器５の内に収納されているので、歪み補正コイル８を外容器５の外に露出させずにすむ。
【００３９】
この発明は、上記の実施例に限られるものではなく、以下のように変形実施することも可能である。
【００４０】
（１）実施例のＩ．Ｉ．装置において、図６に示すように、メイン磁気シールド体６ＡがＸ線入射面側で少し短くなっていて、歪み補正コイル８の外周側にはメイン磁気シールド体６Ａによる磁気遮蔽壁がない他は実施例と同じ構成の装置を、変形例として挙げることができる。歪み補正コイル８の外周側にメイン磁気シールド体６Ａによる磁気遮蔽壁がなくても入力面基板１の裏面側周縁近傍ＰＡに対するサブ磁気シールド体１４の磁気遮蔽機能を損なうことはない。また歪み補正コイル８の外周側でメイン磁気シールド体６Ａによる磁気遮蔽壁がないのはサブ磁気シールド体１４による磁気遮蔽壁が代役を果たすので、変形例のＩ．Ｉ．装置は、実質的に実施例のＩ．Ｉ．装置と同様の効果を奏する。
【００４１】
（２）実施例のＩ．Ｉ．装置において、図７に示すように、歪み補正コイル８Ａは横断面が三角形状で巻回されているものであり、サブ磁気シールド体１４Ａおよび取り付けリング１５Ａは、その横断面が歪み補正コイル８Ａの傾斜内側面に沿って延びる斜線形である他は実施例と同じ構成の装置を、変形例として挙げることができる。歪み補正コイル８Ａの横断面が三角形状であっても歪み誘発磁気の打ち消し機能を損なうことはない。またサブ磁気シールド体１４Ａおよび取り付けリング１５Ａの横断面が単純な斜線形であっても入力面基板１の裏面側周縁近傍ＰＡに対する磁気遮蔽機能を損なうことはなく、変形例のＩ．Ｉ．装置は、実質的に実施例のＩ．Ｉ．装置と同様の効果を奏する。
【００４２】
（３）実施例のＩ．Ｉ．装置は、電源９や電源制御部１１を備えた形態であったが、この発明は、電源９や電源制御部１１を備えていない形態のＩ．Ｉ．装置にも適用される。
【００４３】
（４）実施例のＩ．Ｉ．装置は、図３に示すような天井走行式Ｃアーム１２に限らず、床走行式Ｃアームに配設することもできるし、Ｘ線撮影台に組み込まれた据え置き式Ｃアームに配設することもできる。また、Ｃアーム以外のＸ線撮影装置に配設することもできる。
【図面の簡単な説明】
【００４４】
【図１】実施例のＩ．Ｉ．装置の全体構成図である。
【図２】実施例のＩ．Ｉ．装置におけるメイン・サブの両磁気シールド体と歪み補正コイルの配設状況を示す平面図である。
【図３】Ｘ線透視撮影装置における実施例のＩ．Ｉ．装置の配設状況を示す側面図である。
【図４】実施例のＩ．Ｉ．装置の入力面基板の周縁近傍における歪み補正コイルによる歪み補正磁気の印加状況を示す磁気強さ表示チャートである。
【図５】比較例のＩ．Ｉ．装置の入力面基板の周縁近傍における歪み補正コイルによる歪み補正磁気の印加状況を示す磁気強さ表示チャートである。
【図６】変形例のＩ．Ｉ．装置のメイン・サブの両磁気シールド体と歪み補正コイルの配設状況を示す部分断面図である。
【図７】他の変形例のＩ．Ｉ．装置のメイン・サブの両磁気シールド体と歪み補正コイルの配設状況を示す部分断面図である。
【図８】従来のＩ．Ｉ．装置の全体構成図である。
【図９】従来のＩ．Ｉ．装置における磁気シールド体と歪み補正コイルの配設状況を示す平面図である。
【図１０】Ｉ．Ｉ．装置における入射Ｘ線像および可視光像の一例を示す模式図である。
【符号の説明】
【００４５】
１    …  入力面基板
２    …  電子レンズ系
３    …  出力蛍光面
４    …  イメージ管
５    …  外容器
６    …  メイン磁気シールド体
８    …  歪み補正コイル
１４  …  サブ磁気シールド体
ＸＡ  …入射Ｘ線像
Ｘａ  …可視光像
【図１】
2005216669.tif 000003
【図２】
2005216669.tif 000004
【図３】
2005216669.tif 000005
【図４】
2005216669.tif 000006
【図５】
2005216669.tif 000007
【図６】
2005216669.tif 000008
【図７】
2005216669.tif 000009
【図８】
2005216669.tif 000010
【図９】
2005216669.tif 000011
【図１０】
2005216669.tif 000012